(57)【要約】【課題】利便性を低下させずに、セキュリティ機能を向上させ携帯端末を提供すること。【解決手段】携帯端末１は、ユーザの個人情報データを表示する表示部２１と、所定の機能の使用を制限する機能制限部４５１と、機能制限部４５１による所定の機能の使用の制限を解除するためのパスワードを記憶するパスワード記憶部４４１と、個人情報データを表示部２１に表示するように指示する表示指示部４５２と、表示指示部４５２により表示部２１に個人情報データを表示するように指示がされた場合、個人情報データにパスワードと一致する文字列が含まれるか否かを判定する判定部４５３と、判定部４５３により個人情報データにパスワードと一致する文字列が含まれると判定された場合、表示部２１に、個人情報データを、少なくともパスワードと一致する文字列を非表示又は視認不可能な状態で表示させる表示制御部と、を備える。【選択図】図３
2010056776.tif 000002
【特許請求の範囲】
【請求項１】
予め登録されたユーザの個人情報データを表示する表示部と、
所定の機能の使用を制限する機能制限部と、
前記機能制限部よる前記所定の機能の使用の制限を解除するためのパスワードを記憶するパスワード記憶部と、
前記個人情報データを前記表示部に表示するように指示する表示指示部と、
前記表示指示部により前記表示部に前記個人情報データを表示するように指示がされた場合、前記個人情報データに前記パスワードと一致する文字列が含まれるか否かを判定する判定部と、
前記判定部により前記個人情報データに前記パスワードと一致する文字列が含まれると判定された場合、前記表示部に、前記個人情報データを、少なくとも前記パスワードと一致する文字列を非表示又は視認不可能な状態で表示させる表示制御部と、を備える携帯端末。
【請求項２】
外部の通信装置と通信を行う通信部と、
前記通信部により前記個人情報データを前記外部の通信装置に送信するように指示する通信指示部と、
前記通信部による前記個人情報データの送信を制御する通信制御部と、を更に備え、
前記判定部は、前記通信指示部により前記個人情報データを送信するように指示された場合、前記個人情報データに前記パスワードと一致する文字列が含まれるか否かを判定し、
前記通信制御部は、前記判定部により前記個人情報データに前記パスワードと一致する文字列が含まれると判定された場合には、前記通信部による当該個人情報データの送信を制限する請求項１に記載の携帯端末。
【請求項３】
前記通信制御部は、前記判定部により前記個人情報データに前記パスワードと一致する文字列が含まれると判定された場合には、前記パスワードの入力を要求すると共に、当該パスワードが入力されると前記通信部による前記個人情報データの送信を許可する請求項２に記載の携帯端末。
【発明の詳細な説明】
【技術分野】
【０００１】
本発明は、携帯端末に関する。詳しくは、パスワードを設定して所定の機能の使用を制限する携帯端末に関する。
【背景技術】
【０００２】
従来、第３者による特定の機能（例えば、通信機能）の使用を制限するために、所定の認証機能を設けた携帯電話機等の携帯端末が知られている。
例えば、特許文献１には、キーボード及び所定の暗証番号を記憶する記憶部を備え、キーボードに入力した番号と記憶部に記憶された暗証番号とが一致した場合のみ通信が開始される携帯電話機が提案されている。
【特許文献１】特開２００１−３２０４７２号公報
【発明の開示】
【発明が解決しようとする課題】
【０００３】
ところで、携帯電話機に暗証番号等のパスワードを設定する場合、ユーザは、誕生日や電話番号等の身近な文字列をパスワードとして使用する場合が多い。
一方、携帯電話機には、ユーザの誕生日や電話番号等の個人情報を登録するプロフィール登録機能が設けられていることも多い。
【０００４】
ここで、例えば、携帯電話機にパスワードを設定して通信機能の使用のみを制限した場合、他の機能の使用は制限されないので、登録されたプロフィールはパスワードを入力しなくても参照可能である。
そのため、パスワードを身近な文字列に設定した携帯電話機を紛失した場合、登録されたプロフィールを参照して容易にパスワードが推測されてしまうという問題があった。
【０００５】
このような問題を解決するために、携帯電話機の操作全体を制限するオートロック機能を備える携帯電話機が提案されている。しかしながら、オートロック機能では、携帯電話機の全ての操作が制限されてしまうため、利便性が低下しまう。
【０００６】
従って、本発明は、利便性を低下させずに、セキュリティ機能を向上させた携帯端末を提供することを目的とする。
【課題を解決するための手段】
【０００７】
本発明は、予め登録されたユーザの個人情報データを表示する表示部と、所定の機能の使用を制限する機能制限部と、前記機能制限部よる前記所定の機能の使用の制限を解除するためのパスワードを記憶するパスワード記憶部と、前記個人情報データを前記表示部に表示するように指示する表示指示部と、前記表示指示部により前記表示部に前記個人情報データを表示するように指示がされた場合、前記個人情報データに前記パスワードと一致する文字列が含まれるか否かを判定する判定部と、前記判定部により前記個人情報データに前記パスワードと一致する文字列が含まれると判定された場合、前記表示部に、前記個人情報データを、少なくとも前記パスワードと一致する文字列を非表示又は視認不可能な状態で表示させる表示制御部（表示制御部４２及び表示制限部４５４により実現される）と、を備える携帯端末に関する。
【０００８】
また、携帯端末は、外部の通信装置と通信を行う通信部と、前記通信部により前記個人情報データを前記外部の通信装置に送信するように指示する通信指示部と、前記通信部による前記個人情報データの送信を制御する通信制御部と、を更に備え、前記判定部は、前記通信指示部により前記個人情報データを送信するように指示された場合、前記個人情報データに前記パスワードと一致する文字列が含まれるか否かを判定し、前記通信制御部は、前記判定部により前記個人情報データに前記パスワードと一致する文字列が含まれると判定された場合には、前記通信部による当該個人情報データの送信を制限することが好ましい。
【０００９】
また、前記通信制御部は、前記判定部により前記個人情報データに前記パスワードと一致する文字列が含まれると判定された場合には、前記パスワードの入力を要求すると共に、当該パスワードが入力されると前記通信部による前記個人情報データの送信を許可することが好ましい。
【発明の効果】
【００１０】
本発明の携帯端末によれば、利便性を低下させずに、セキュリティ機能を向上できる。
【発明を実施するための最良の形態】
【００１１】
以下、本発明を実施するための好ましい一実施形態について、図面を参照しながら説明する。まず、本発明の携帯端末の一実施形態である携帯電話機１の基本構造について、図１を参照しながら説明する。
図１は、本発明の一実施形態に係る携帯電話機１の外観斜視図である。
【００１２】
携帯電話機１は、操作部側筐体２と、表示部側筐体３と、操作部側筐体２と表示部側筐体３とを連結するヒンジ機構４と、を備える。
操作部側筐体２は、表面部１０に、操作部１１とマイク１２とを備えて構成される。
操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
マイク１２は、携帯電話機１の使用者が通話時に発した音声を入力するために用いられる。
【００１３】
表示部側筐体３は、表面部２０に、表示部２１とレシーバ２２と、を備えて構成される。
表示部２１は、通話の相手側の電話番号やユーザの個人情報等の各種情報を表示する。レシーバ２２は、通話の相手側の音声を出力する。
【００１４】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１５】
図２は、携帯電話機１の機能を示すブロック図である。携帯電話機１は、操作部１１と、マイク１２と、通信部４１と、表示制御部４２と、音声処理部４３と、メモリ４４と、ＣＰＵ４５とを操作部側筐体２に備え、表示部２１と、レシーバ２２と、ドライバＩＣ２３とを表示部側筐体３に備えている。
【００１６】
通信部４１は、メインアンテナ４１１とＲＦ回路部４１２とを備えて構成され、外部の通信装置と通信を行う。
メインアンテナ４１１は、所定の使用周波数帯（例えば、８００ＭＨｚ）で外部装置と通信を行う。なお、本実施形態では、所定の使用周波数帯として、８００ＭＨｚとしたが、これ以外の周波数帯であってもよい。また、メインアンテナ４１１は、所定の使用周波数帯の他に、他の使用周波数帯（例えば、２ＧＨｚ）に対応できる、いわゆるデュアルバンド対応型による構成であってもよい。
【００１７】
ＲＦ回路部４１２は、メインアンテナ４１１によって受信した信号を復調処理し、処理後の信号をＣＰＵ４５に供給する。また、ＲＦ回路部４１２は、ＣＰＵ４５から供給された信号を変調処理し、メインアンテナ４１１を介して外部装置（基地局）に送信する。
【００１８】
表示制御部４２は、ＣＰＵ４５の制御に従って、所定の画像処理を行い、処理後の画像データをドライバＩＣ２３に出力する。ドライバＩＣ２３は、表示制御部４２から供給された画像データをフレームメモリ（図示せず）に蓄え、所定のタイミングで表示部２１に出力する。
【００１９】
音声処理部４３は、ＣＰＵ４５の制御に従って、ＲＦ回路部４１２から供給された信号に対して所定の音声処理を行い、処理後の信号をレシーバ２２に出力する。レシーバ２２は、音声処理部４３から供給された信号を外部に出力する。なお、この信号は、レシーバ２２に代えて、又は、レシーバ２２と共に、スピーカ（図示せず）から出力される構成としてもよい。
【００２０】
また、音声処理部４３は、ＣＰＵ４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に出力する。
【００２１】
メモリ４４は、例えば、ワーキングメモリを含み、ＣＰＵ４５による演算処理に利用される。また、メモリ４４は、後述のパスワード記憶部４４１及び個人情報記憶部４４２を備える。
尚、メモリ４４は、着脱可能な外部メモリであってもよい。
【００２２】
ＣＰＵ４５は、携帯電話機１の全体を制御しており、例えば、通信部４１、表示制御部４２、表示部２１、音声処理部４３に対して所定の制御を行う。また、ＣＰＵ４５は、先に述べたメインアンテナ４１１による電波状態や充電池（図示せず）の残量、不在着信及び未読メールの有無等の内部状態を監視しており、この結果に基づいて、表示部２１の表示内容を変更する制御も行う。ＣＰＵ４５の具体的な構成については後述する。
【００２３】
本実施形態に係る携帯電話機１は、パスワードとして設定されている文字列が個人情報記憶部４４２に記憶されているユーザの個人情報データに含まれている場合、この個人情報データのうち該当する文字列を伏せ字で表示するプロフィールロック機能を備えている。
また、プロフィールロック機能は、パスワードとして設定されている文字列が含まれる個人情報データを他の通信装置に発信する操作を行う場合には、パスワードの入力を要求する機能も有している。
【００２４】
以下、本実施形態のプロフィールロック機能を発揮するための構成について、図３を参照しながら説明する。図３は、メモリ４４及びＣＰＵ４５の構成を示すブロック図である。
【００２５】
メモリ４４は、パスワード記憶部４４１と、個人情報記憶部４４２とを備える。
パスワード記憶部４４１は、後述の機能制限部４５１により制限された所定の機能の使用制限を解除するためのパスワードを記憶する。具体的には、パスワード記憶部４４１は、ユーザが任意に設定した特定の文字列を記憶する。
ここで、パスワードとは、ユーザが任意に設定した複数の数字及び／又は英字等から構成される文字列の他、ユーザが任意に設定した複数の数字から構成される暗証番号を含む。
【００２６】
個人情報記憶部４４２は、携帯電話機１のユーザの個人情報データであるプロフィール情報を記憶する。記憶されるプロフィール情報としては、携帯電話機１に設定された電話番号やメールアドレス、ユーザの誕生日や住所や郵便番号等が挙げられる。
【００２７】
ＣＰＵ４５は、機能制限部４５１と、表示指示部４５２と、判定部４５３と、表示制限部４５４と、通信指示部４５５と、通信制御部４５６と、を備える。
機能制限部４５１は、例えば、通話機能、メール機能、アドレス帳機能といった携帯電話機１が備える所定の機能の使用を制限（禁止）する。この機能制限部４５１による機能の使用の制限は、パスワード記憶部４４１に記憶されたパスワードを操作部１１から入力することにより解除される。
【００２８】
表示指示部４５２は、操作部１１に対して所定の入力操作が行われると、個人情報記憶部４４２に記憶されたユーザのプロフィール情報を表示部２１に表示するよう指示する。
【００２９】
判定部４５３は、表示指示部４５２により表示部２１にユーザのプロフィール情報を表示させるように指示がされた場合、及び後述の通信指示部４５５によりユーザのプロフィール情報を送信するように指示がされた場合に、プロフィール情報に含まれる文字列とパスワードとを比較し、プロフィール情報にパスワードと一致する文字列が含まれるかを判定する。
【００３０】
表示制限部４５４は、判定部４５３によりプロフィール情報にパスワードと一致する文字列が含まれると判定された場合、表示部２１に、プロフィール情報のうちの少なくともパスワードと一致する文字列を非表示又は視認不可能な状態で表示させる。
また、表示制限部４５４は、判定部４５３によりプロフィール情報にパスワードと一致する文字列が含まれないと判定された場合、表示部２１にプロフィール情報の全てを通常状態（視認可能な状態）で表示させる。
【００３１】
例えば、表示制限部４５４は、パスワード記憶部４４１に記憶されたパスワードが以下の条件に該当する場合、プロフィール情報のうちの該当部分を伏せ字として表示する。
（１）パスワードが誕生日の年月日のうちの一部又は全部に一致する場合。
（２）パスワードが電話番号の一部（０ｘ０−ｙｙｙｙ−ｚｚｚｚのｙｙｙｙ、ｚｚｚｚ）又は全部に一致する場合。
（３）パスワードが住所の少なくとも一部に一致する場合。
（４）パスワードが郵便番号の少なくとも一部に一致する場合。
（５）パスワードがメールアドレス内の、＠マークより前の部分にある文字列に一致する場合。
（６）パスワードが上記（１）〜（５）の文字列の逆順に該当する場合。
【００３２】
尚、「伏せ字として表示する」とは、当該文字列の部分をモザイク表示としたり、網掛け表示としたりして、当該文字列の部分を視認不可能な状態で表示させることを示す。
【００３３】
通信指示部４５５は、操作部１１に対して所定の入力操作が行われると、ユーザのプロフィール情報を外部の通信装置に送信するように指示する。
【００３４】
通信制御部４５６は、通信部４１による個人情報記憶部４４２に記憶されたプロフィール情報の外部の通信装置への送信を制御する。
具体的には、通信制御部４５６は、判定部４５３によりプロフィール情報にパスワードと一致する文字列が含まれていると判定された場合には、通信部４１による当該プロフィール情報の送信を制限する。
【００３５】
より詳細には、通信制御部４５６は、判定部４５３によりプロフィール情報にパスワードと一致する文字列が含まれると判定された場合には、パスワードの入力を要求する。
通信制御部４５６は、パスワード記憶部４４１に記憶されたパスワードと一致するパスワードが入力された場合、通信部４１によるプロフィール情報の送信を許可する。入力されたパスワードがパスワード記憶部４４１に記憶されたパスワードと一致しなかった場合、通信部４１によるプロフィール情報の送信を禁止する。
【００３６】
また、通信制御部４５６は、判定部４５３によりプロフィール情報にパスワードと一致する文字列が含まれていないと判定された場合には、通信部４１による当該プロフィール情報の送信を許可する。
【００３７】
尚、通信部４１による外部の通信装置へのプロフィール情報の送信方法としては、メール送信、赤外線や非接触ＩＣを利用した送信等の無線通信の他、所定のケーブルを介して携帯電話機１と外部の通信装置とを接続して行う有線通信が挙げられる。
【００３８】
次に、以上の携帯電話機１の動作について説明する。先ず、表示部２１にプロフィール情報が表示される場合における携帯電話機１の動作について図４を参照しながら説明する。
図４は、表示部２１にプロフィール情報が表示される場合における携帯電話機１の動作を示すフローチャートである。
【００３９】
ステップＳ１において、携帯電話機１には、プロフィールロック機能が設定される。
【００４０】
ステップＳ２において、ユーザが操作部１１にプロフィール情報を閲覧するための所定の入力操作を行うと、表示指示部４５２は、個人情報記憶部４４２に記憶されたユーザのプロフィール情報を表示部２１に表示するように指示しステップＳ３に進む。
【００４１】
ステップＳ３において、判定部４５３は、パスワード記憶部４４１に記憶されたパスワードと個人情報記憶部４４２に記憶されたユーザのプロフィール情報のうちの誕生日情報とを比較する。
判定部４５３がパスワードと誕生日情報とが一致していると判定した場合にはステップＳ９に進み、パスワードと誕生日情報とが一致していないと判定した場合にはステップＳ４に進む。
【００４２】
ステップＳ４において、判定部４５３は、パスワード記憶部４４１に記憶されたパスワードと個人情報記憶部４４２に記憶されたユーザのプロフィール情報のうちの電話番号情報とを比較する。
判定部４５３がパスワードと電話番号情報とが一致していると判定した場合にはステップＳ９に進み、パスワードと電話番号情報とが一致していないと判定した場合にはステップＳ５に進む。
【００４３】
ステップＳ５において、判定部４５３は、パスワード記憶部４４１に記憶されたパスワードと個人情報記憶部４４２に記憶されたユーザのプロフィール情報のうちの住所情報とを比較する。
判定部４５３がパスワードと住所情報とが一致していると判定した場合にはステップＳ９に進み、パスワードと住所情報とが一致していないと判定した場合にはステップＳ６に進む。
【００４４】
ステップＳ６において、判定部４５３は、パスワード記憶部４４１に記憶されたパスワードと個人情報記憶部４４２に記憶されたユーザのプロフィール情報のうちのメールアドレス情報とを比較する。
判定部４５３がパスワードとメールアドレス情報とが一致していると判定した場合にはステップＳ９に進み、パスワードとメールアドレス情報とが一致していないと判定した場合にはステップＳ７に進む。
【００４５】
ステップＳ７において、判定部４５３は、パスワード記憶部４４１に記憶されたパスワードと個人情報記憶部４４２に記憶されたユーザのプロフィール情報のうちの郵便番号情報とを比較する。
判定部４５３がパスワードと郵便番号情報とが一致していると判定した場合にはステップＳ９に進み、パスワードと郵便番号情報とが一致していないと判定した場合にはステップＳ８に進む。
【００４６】
ステップＳ８において、表示制限部４５４は、ユーザのプロフィール情報を全て表示部２１に表示させて本フローの処理を終了する。
【００４７】
ステップＳ９において、表示制限部４５４は、プロフィール情報のうちパスワードと一致している文字列を伏せ字にして、当該プロフィール情報を表示部２１に表示させて本フローの処理を終了する。
【００４８】
次に、外部の通信装置にプロフィール情報が送信される場合における携帯電話機１の動作について、図５を参照しながら説明する。
図５は、外部の通信装置にユーザのプロフィール情報が送信される場合における携帯電話機１の動作を示すフローチャートである。
【００４９】
ステップＳ１０において、携帯電話機１には、プロフィールロック機能が設定される。
【００５０】
ステップＳ１１において、ユーザが所定のプロフィール送信操作を行うと、通信指示部４５５は、個人情報記憶部４４２に記憶されたユーザのプロフィール情報を外部の通信装置に送信するように指示しステップＳ１２に進む。
【００５１】
ステップＳ１２において、判定部４５３は、パスワード記憶部４４１に記憶されたパスワードと個人情報記憶部４４２に記憶されたユーザのプロフィール情報のうちの誕生日情報とを比較する。
判定部４５３がパスワードと誕生日情報とが一致していると判定した場合にはステップＳ１８に進み、パスワードと誕生日情報とが一致していないと判定した場合にはステップＳ１３に進む。
【００５２】
ステップＳ１３において、判定部４５３は、パスワード記憶部４４１に記憶されたパスワードと個人情報記憶部４４２に記憶されたユーザのプロフィール情報のうちの電話番号情報とを比較する。
判定部４５３がパスワードと電話番号情報とが一致していると判定した場合にはステップＳ１８に進み、パスワードと電話番号情報とが一致していないと判定した場合にはステップＳ１４に進む。
【００５３】
ステップＳ１４において、判定部４５３は、パスワード記憶部４４１に記憶されたパスワードと個人情報記憶部４４２に記憶されたユーザのプロフィール情報のうちの住所情報とを比較する。
判定部４５３がパスワードと住所情報とが一致していると判定した場合にはステップＳ１８に進み、パスワードと住所情報とが一致していないと判定した場合にはステップＳ１５に進む。
【００５４】
ステップＳ１５において、判定部４５３は、パスワード記憶部４４１に記憶されたパスワードと個人情報記憶部４４２に記憶されたユーザのプロフィール情報のうちのメールアドレス情報とを比較する。
判定部４５３がパスワードとメールアドレス情報とが一致していると判定した場合にはステップＳ１８に進み、パスワードとメールアドレス情報とが一致していないと判定した場合にはステップＳ１６に進む。
【００５５】
ステップＳ１６において、判定部４５３は、パスワード記憶部４４１に記憶されたパスワードと個人情報記憶部４４２に記憶されたユーザのプロフィール情報のうちの郵便番号情報とを比較する。
判定部４５３がパスワードと郵便番号情報とが一致していると判定した場合にはステップＳ１８に進み、パスワードと郵便番号情報とが一致していないと判定した場合にはステップＳ１７に進む。
【００５６】
ステップＳ１７において、通信制御部４５６は、プロフィール情報の送信を許可してステップＳ１８に進む。
【００５７】
ステップＳ１８において、通信部４１は、プロフィール情報の送信処理を行い本フローの処理を終了する。
【００５８】
ステップＳ１９において、通信制御部４５６は、ユーザにパスワードの入力を要求してステップＳ２０に進む。
【００５９】
ステップＳ２０において、通信制御部４５６は、ユーザが入力したパスワードと、パスワード記憶部４４１に記憶されたパスワードとを比較する。
ユーザが入力したパスワードがパスワード記憶部４４１に記憶されたパスワードと一致した場合にはステップＳ２１に進む。ユーザが入力したパスワードがパスワード記憶部４４１に記憶されたパスワードと一致しなかった場合にはステップＳ２３に進む。
【００６０】
ステップＳ２１において、通信制御部４５６は、プロフィール情報の送信を許可してステップＳ２２に進む。
【００６１】
ステップＳ２２において、通信部４１は、プロフィール情報の送信処理を行い本フローの処理を終了する。
【００６２】
ステップＳ２３において、通信制御部４５６は、プロフィール情報の送信を禁止して本フローの処理を終了する。
【００６３】
以上の携帯電話機１によれば以下のような効果を奏する。
判定部４５３がユーザのプロフィール情報にパスワードと一致する文字列が含まれると判定した場合、表示部２１に、ユーザのプロフィール情報のうちパスワードと一致する文字列の部分を伏せ字で表示させる表示制限部４５４を設けた。これにより、ユーザとは異なる第３者がプロフィール情報を閲覧した場合であっても、パスワードを類推できる文字列を視認できないため、パスワードが推認されにくい。つまり、本発明の携帯電話機１によれば、利便性を低下させずに、セキュリティ機能を向上できる。
【００６４】
また、判定部４５３がユーザのプロフィール情報にパスワードと一致する文字列が含まれると判定した場合、通信部４１によるプロフィール情報の送信を制限する通信制御部４５６を設けた。これにより、パスワードを類推できる文字列を含むプロフィール情報を外部の通信装置に送信できないため、携帯電話機１のセキュリティ機能がより向上する。
【００６５】
また、通信制御部４５６に、プロフィール情報にパスワードと一致する文字列が含まれる場合には、パスワードの入力を要求させると共に、当該パスワードが入力されると通信部４１によるプロフィール情報の送信を許可させる機能を設けた。これにより、パスワードを知らない第３者によるプロフィール情報の送信を規制できるので、携帯電話機１のセキュリティ機能がより向上する。
【００６６】
また、パスワードとしてプロフィール情報に含まれる身近な文字列を設定しておくことで、プロフィール情報の該当部分の文字列を伏せ字で表示できる。これにより、携帯電話機１を紛失した場合においてもユーザのプライバシーを保護できる。
【００６７】
尚、本発明は前記実施形態に限定されるものではなく、本発明の目的を達成できる範囲での変形、改良等は本発明に含まれるものである。
例えば、本実施形態では、パスワードがユーザのプロフィール情報に含まれていた場合、プロフィール情報のうちパスワードと一致する文字列のみを伏せ字で表示したが、これに限らない。即ち、プロフィール情報のうち一致する文字列が含まれる情報全体（例えば、電話番号全体）を伏せ字で表示してもよい。
【００６８】
また、本実施形態では、プロフィール情報のうちパスワードと一致する文字列を伏せ字で表示したが、これに限らない。即ち、プロフィール情報のうちパスワードと一致する文字列の部分を非表示としてもよい。また、プロフィール情報のうちパスワードと一致する文字列が含まれる情報全体、更には、プロフィール情報の全てを非表示としてもよい。
【００６９】
また、パスワードの設定時にも、上記の実施例を適用できる。即ち、パスワード設定画面において、ユーザにより所望の文字列が入力されると、判定部４５３は、入力された文字列とプロフィール情報とを、図４のステップＳ３〜Ｓ７に示す処理と同様に比較する。パスワード設定画面で入力された文字列（パスワードとして設定されようとしている文字列）とプロフィール情報との比較の結果、プロフィール情報にパスワード設定画面で入力された文字列と一致する文字列が含まれると判定された場合、当該文字列をパスワードとして設定することによりプロフィールの閲覧が制限される旨を、表示部２１に表示する等してユーザに報知する。
【００７０】
また、本実施形態においては、携帯端末の一例としてヒンジ機構４を介して操作部側筐体２と表示部側筐体３とが相対的に動く、いわゆる折り畳み式の携帯電話機１を挙げているが、これに限らない。即ち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００７１】
また、本実施形態では、本発明を携帯端末としての携帯電話機１に適用したが、これに限らない。即ち、本発明を、情報携帯端末（ＰＤＡ）、ノートパソコン、デジタルカメラ、小型オーディオプレーヤー等の他の携帯端末に適用してもよい。
【図面の簡単な説明】
【００７２】
【図１】本発明の携帯端末の一実施形態に係る携帯電話機の外観斜視図である。
【図２】携帯電話機の機能を示すブロック図である。
【図３】メモリ及びＣＰＵの構成を示すブロック図である。
【図４】ユーザのプロフィール情報を表示部に表示する場合における携帯電話機１の動作を示すフローチャートである。
【図５】ユーザのプロフィール情報を外部の通信装置に送信する場合における携帯電話機の動作を示すフローチャートである。
【符号の説明】
【００７３】
１  携帯電話機（携帯端末）
２１  表示部
４１  通信部
４４１  パスワード記憶部
４５１  機能制限部
４５２  表示指示部
４５３  判定部
４５４  表示制限部
４５５  通信指示部
４５６  通信制御部
【図１】
2010056776.tif 000003
【図２】
2010056776.tif 000004
【図３】
2010056776.tif 000005
【図４】
2010056776.tif 000006
【図５】
2010056776.tif 000007